(57)【要約】【課題】建設プロジェクトにおいて、建設会社が建設予定の建物について施工計画に従って安全に建物を施工する期待値を評価する技術を提供する。【解決手段】コンピュータが、建設会社が過去に建設した建物（１Ｓ）について、施工の計画（１Ａ）と、建設会社の施工の実績（１Ｂ）とに基づき、施工計画に従って安全に建物を施工した度合いを示す建設スコア（１Ｃ）を計算する。コンピュータは、新たに建設する建物の施工の計画（２Ａ）と、過去の施工の計画（１Ａ）との類似度を決定し、建設スコア（１Ｃ）と、類似度とに基づいて、建設会社が、建設予定の建物を、建物の施工計画に従って安全に施工する可能性を示す保険スコア（２Ｄ）を計算する。【選択図】図１
2020140266.tif 000002
【特許請求の範囲】
【請求項１】
プロセッサ、記憶部を備えるコンピュータを動作させるためのプログラムであって、
前記記憶部には、建設会社が過去に建物を施工した際の施工作業の実績を含む第１の情報、および、建設予定の建物に関する情報であって当該建設予定の建物の施工計画を含む第２の情報が記憶されており、
前記プログラムは、前記プロセッサに、
前記第１の情報と第２の情報とを前記記憶部から読み出すステップと、
前記第１の情報と、前記第２の情報とに基づいて、前記建設会社が、前記建設予定の建物を、当該建物の施工計画に従って安全に施工する可能性を示す第１の評価値を決定するステップと、を実行させる、プログラム。
【請求項２】
前記第１の情報は、過去に施工された建物の施工計画の情報を含み、
前記決定するステップは、
前記第１の情報に含まれる前記過去に施工された建物の施工計画の情報、および、当該建物の施工作業の実績を示す情報に基づいて、前記建設会社が、前記施工計画に沿って当該建物を施工した度合いを示す第２の評価値を算出するステップと、
前記過去に施工された建物の施工計画の情報と、前記建設予定の建物の施工計画とを比較して、前記建設予定の建物の施工計画との類似度が一定値に達する施工計画であって前記過去に施工された建物の施工計画の情報を特定するステップとを含み、
前記特定される前記過去に施工された建物の施工計画の情報についての前記第２の評価値に基づいて、前記第１の評価値を決定する、請求項１に記載のプログラム。
【請求項３】
前記決定するステップにおいて前記第１の評価値を決定することには、前記類似度と、前記第２の評価値とに基づいて、前記類似度が高いほど前記第２の評価値に重み付けを施して前記第１の評価値を決定することが含まれる、請求項２に記載のプログラム。
【請求項４】
前記プログラムは、前記プロセッサに、さらに、
ユーザから、１または複数の前記第２の情報の入力を受け付けるステップを実行させ、
前記決定するステップは、前記受け付けるステップにおいて前記第２の情報の入力を受け付けたことに応答して、前記第１の評価値を決定する、請求項１から３のいずれか１項に記載のプログラム。
【請求項５】
前記プログラムは、前記プロセッサに、さらに、
前記第１の評価値に基づいて、前記建設会社に提示する保険料を算出するステップを実行させる、請求項１から４のいずれか１項に記載のプログラム。
【請求項６】
前記受け付けるステップにおいて、それぞれ異なる施工計画の情報を含む複数の第２の情報の入力を前記ユーザから受け付け、
前記プログラムは、前記プロセッサに、さらに、
複数の前記第２の情報のそれぞれに対し前記第１の評価値を決定し、決定される前記第１の評価値に基づいて、前記建設会社に提示する保険料を、前記施工計画の情報それぞれに対して算出するステップを実行させる、請求項４に記載のプログラム。
【請求項７】
前記記憶部に記憶される前記第１の情報には、前記建設会社が過去に施工を行った作業現場で取得されたセンシングデータが含まれ、
前記プログラムは、前記決定するステップにおいて、前記第１の情報として前記センシングデータに基づいて前記第１の評価値を決定する、請求項１から６のいずれか１項に記載のプログラム。
【請求項８】
前記記憶部に記憶される前記第１の情報には、前記センシングデータとして、前記作業現場で作業を行う作業員に取り付けられたセンサ装置により生成されるデータ、または、前記作業現場に設置されるカメラにより生成されるデータの少なくともいずれかが含まれ、
前記プログラムは、前記決定するステップにおいて、前記第１の情報として、前記建設会社が過去に施工を行った作業現場で作業員が行った作業手順の前記センシングデータに基づいて前記第１の評価値を決定する、請求項２に記載のプログラム。
【請求項９】
前記記憶部に記憶される前記第２の情報には、前記建設予定の建物の情報として、当該建設予定の建物の３次元構造を示すデータと、当該３次元構造を実現するための手順を示す前記施工計画とが含まれ、
前記プログラムは、前記決定するステップにおいて、前記第２の情報として、前記３次元構造を示すデータおよび前記施工計画に基づいて前記第１の評価値を決定する、請求項１から３のいずれか１項に記載のプログラム。
【請求項１０】
プロセッサ、記憶部を備えるコンピュータを動作させるための方法であって、
前記記憶部には、建設会社が過去に建物を施工した際の施工作業の実績を示す第１の情報、および、建設予定の建物に関する情報であって当該建設予定の建物の施工計画を含む第２の情報が記憶されており、
前記方法は、前記プロセッサが、
前記第１の情報と第２の情報とを前記記憶部から読み出すステップと、
前記第１の情報と、前記第２の情報とに基づいて、前記建設会社が、前記建設予定の建物を、当該建物の施工計画に従って安全に施工する可能性を示す評価値を決定するステップと、を実行する、方法。
【請求項１１】
制御部と、記憶部とを備える情報処理装置であって、
前記記憶部には、建設会社が過去に建物を施工した際の施工作業の実績を示す第１の情報、および、建設予定の建物に関する情報であって当該建設予定の建物の施工計画を含む第２の情報が記憶されており、
前記情報処理装置は、前記制御部が、
前記第１の情報と第２の情報とを前記記憶部から読み出し、
前記第１の情報と、前記第２の情報とに基づいて、前記建設会社が、前記建設予定の建物を、当該建物の施工計画に従って安全に施工する可能性を示す評価値を決定する、情報処理装置。
【発明の詳細な説明】
【技術分野】
【０００１】
本開示は、建物の建設プロジェクトにかけられる保険料を設定するための技術に関する。
【背景技術】
【０００２】
建物の建設にあたって、様々な保険がかけられている。例えば、建物の施主に向けた保険がある。具体的には、建設が完了した建築物に対し、台風災害や地震災害などに備えた損害保険をかける技術が、特開２００３−５０９１１号公報（特許文献１）等に記載されている。
【０００３】
特許文献１の技術では、施主のリスクを限定的にすることを目的とした技術が記載されている。具体的には、かつて海であった場所など、様々な地盤の上に建築物が建設されることを考慮して、建築物の基礎杭による損害に対しても保険を適用できるようにしている。特許文献１では、建設工事において基礎杭を地盤に打ち込む際のトルク値を記録して、当該記録されたデータに基づき保険料を算出することが記載されている。
【０００４】
この他にも、施主の依頼を受けて建設工事を行う建設会社（施工事業者）に向けた保険が用意されている。例えば、建設現場の人身・物損事故に備えた保険、建設資材の損害に備える保険その他の様々な保険が保険会社によって提供されている。これらの保険は、建設工事保険、組立保険などとも呼称されている。建設会社は、例えば１建の建物の建設事業などの建設プロジェクトに、大型の保険をかけている。これら保険の保険料は、建設プロジェクトの内容を考慮して、保険会社によって計算されている。
【先行技術文献】
【特許文献】
【０００５】
【特許文献１】特開２００３−５０９１１号公報
【発明の概要】
【発明が解決しようとする課題】
【０００６】
保険会社としては、様々なリスクを想定しつつ、建設会社向けの保険料を設定することとなる。しかし、建設プロジェクトに対し建設会社向けに保険料を設定することは容易ではなく、経験則等に基づき目分量で保険料が計算されていることも少なくない。一方で、建設会社の施工能力は様々であるため、建設会社によっては、高い保険料を負担している可能性もある。また、保険会社にとっては、建設会社の施工能力に対して安すぎる保険料を設定しているおそれもある。
【０００７】
したがって、建設プロジェクトについて、適切に保険料を設定することを容易にする技術が必要とされている。適切な保険料の設定には、建設会社が建設予定の建物について施工計画に従って安全に建物を施工する期待値を適切に評価することが求められる。
【課題を解決するための手段】
【０００８】
本開示に示す一実施形態によると、プロセッサ、記憶部を備えるコンピュータを動作させるためのプログラムが提供される。記憶部には、建設会社が過去に建物を施工した際の施工作業の実績を含む第１の情報、および、建設予定の建物に関する情報であって当該建設予定の建物の施工計画を含む第２の情報が記憶されている。プログラムは、プロセッサに、第１の情報と第２の情報とを記憶部から読み出すステップと、第１の情報と、第２の情報とに基づいて、建設会社が、建設予定の建物を、当該建物の施工計画に従って安全に施工する可能性を示す評価値を決定するステップと、を実行させる。
【０００９】
本開示に示す一実施形態によると、プロセッサ、記憶部を備えるコンピュータを動作させるための方法が提供される。記憶部には、建設会社が過去に建物を施工した際の施工作業の実績を含む第１の情報、および、建設予定の建物に関する情報であって当該建設予定の建物の施工計画を含む第２の情報が記憶されている。方法は、プロセッサが、第１の情報と第２の情報とを記憶部から読み出すステップと、第１の情報と、第２の情報とに基づいて、建設会社が、建設予定の建物を、当該建物の施工計画に従って安全に施工する可能性を示す評価値を決定するステップと、を実行する。
【００１０】
本開示に示す一実施形態によると、制御部と、記憶部とを備える情報処理装置が提供される。記憶部には、建設会社が過去に建物を施工した際の施工作業の実績を含む第１の情報、および、建設予定の建物に関する情報であって当該建設予定の建物の施工計画を含む第２の情報が記憶されている。情報処理装置は、制御部が、第１の情報と第２の情報とを記憶部から読み出し、第１の情報と、第２の情報とに基づいて、建設会社が、建設予定の建物を、当該建物の施工計画に従って安全に施工する可能性を示す評価値を決定する。
【発明の効果】
【００１１】
一実施形態によると、建設会社が建設予定の建物について施工計画に従って安全に建物を施工する期待値を適切に評価することができる。
【図面の簡単な説明】
【００１２】
【図１】本開示に示す技術思想の概要を示す図である。
【図２】実施の形態１のシステム１の構成を示す図である。
【図３】実施の形態１のシステム１を構成する端末装置１０のブロック図である。
【図４】実施の形態１のシステム１を構成するセンサ装置５０のブロック図である。
【図５】サーバ２０の機能的な構成を示す図である。
【図６】サーバ２０において保持される建設会社情報ＤＢ１８１、建物情報ＤＢ１８２、建設実績情報ＤＢ１８３のデータ構造を示す図である。
【図７】サーバ２０において保持される作業者情報ＤＢ１８４、作業者作業ログＤＢ１８５のデータ構造を示す図である。
【図８】建設現場において各種センサ装置５０によりセンシングされるデータをサーバ２０に蓄積する処理を示すフローチャートである。
【図９】サーバ２０が、保険会社の端末を操作するユーザのリクエストに応答して、建設会社に保険を提示するための保険スコアを計算する処理を示すフローチャートである。
【図１０】端末装置１０の画面の表示例を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜１．概要＞
図１を参照して、実施の形態で説明する技術の概要を説明する。図１は、本開示に示す技術思想の概要を示す図である。
【００１５】
図１に示すように、ある建設会社が、第１の建物１Ｓを、建物を施工する計画を示す第１の計画情報１Ａに基づいて施工したとする。第１の計画情報１Ａは、建物を施工する計画として、日時とともに、建設現場において所定の位置に所定の資材を配置すること、資材を用いて組立を行うことで建物の一部の構造を完成させること、などの施工の手順の情報を含んでいる。
【００１６】
当該建設会社は、時間ｔ１１の時点において、第１の建物１Ｓを着工し、時間ｔ１２の時点で第１の建物１Ｓを完成させたとする。第１の建物１Ｓの着工から完成までの間において、当該建設会社が実際に施工を行った手順を、第１の施工実績情報１Ｂとしてコンピュータの記憶部に保存している。施工を行った手順とは、例えば、日時とともに、建設現場において、ある資材を、ある時点で所定の位置に配置する、資材を用いて所定の組立工事を行う、といった情報を含む。
【００１７】
この第１の施工実績情報１Ｂのように、実際に施工を行った手順を記録するには、例えば、建設現場に各種センサ装置を配置しておき、センサ装置の出力結果に基づいて、建設現場の作業員の作業内容を評価したり、建設機械の動作内容を評価したりすることにより行う。
【００１８】
例えば、建設現場の所定位置にカメラを配置して、カメラの撮影画像を解析することにより、資材が所定の位置に配置されているか否か、建物の構造が施工の手順に沿って建設されているか否か、予め定められた施工スケジュールに従って建設されているか否かを判定することができる。また、作業員の身体、作業員が使用する作業道具等に、カメラ、モーションセンサ、位置センサその他のセンサ装置を取り付けることにより、センサ装置の出力結果に基づいて、作業員の作業内容が施工手順に沿って行われているか否かを評価することもできる。例えば、作業員の身体に取り付けた位置センサの出力結果に基づいて、作業員が、施工計画に従って適切な位置で作業をしていたかを判定することができる。また、作業員に取り付けたモーションセンサの出力結果に基づいて、作業員が、適切な作業内容をしていたか、あるいは事故につながりかねない危険な手順で作業をしていたか、建物が施工計画に従って適切に施工されていたかを判定することができる。
【００１９】
以上のように第１の施工実績情報１Ｂは、時間ｔ１１から時間ｔ１２までの施工期間において、第１の計画情報１Ａに基づき、実績としてどのように第１の建物１Ｓが施工されていったかを示すものである。コンピュータは、第１の建物１Ｓを建設するための第１の計画情報１Ａと、第１の施工実績情報１Ｂとを比較することにより、第１の建物１Ｓについて当該建設会社が施工計画に沿って建物を安全に施工したかどうかを評価した評価値を、建設スコア１Ｃとして計算する。コンピュータは、例えば、作業現場の作業員が、施工計画に示される手順に沿って資材を所定位置に配置しているか否か、施工計画に示される手順に沿って組み立てを行っているか否か、施工計画に示されるスケジュールどおりに施工が行われているか否か等の評価項目それぞれについて評価値を計算することにより、建設スコア１Ｃを特定する。すなわち、建設スコア１Ｃは、ある建物について、建設会社が施工計画に沿って当該建物を施工した度合いを示す評価値であるともいえる。コンピュータは、建設会社の施工実績が蓄積されていくのに伴って、建物の構造情報、施工計画の情報、当該建物についての建設スコアの情報を対応付けてデータベースとして保持する。
【００２０】
一方、新たに第２の建物２Ｓを建設する建設プロジェクトが立ち上げられたとする。第２の建物２Ｓは、時間ｔ２１の時点より着工される。この第２の建物２Ｓの建設にあたり、保険会社は、建設会社に対して保険を提供する。このとき、コンピュータは、第２の建物２Ｓを施工する計画を示す第２の計画情報２Ａを読み込んで、第２の建物２Ｓを建設する建設会社が過去に建設した建物の施工計画を示す情報と比較する。コンピュータは、比較を行った結果、第２の計画情報２Ａと、過去に建設された建物の施工計画との類似度合いを、所定の規則に基づき判定する。コンピュータは、例えば、建物の構造が類似している程度、資材を配置する手順が一致している割合、組み立ての手順が一致している割合、施工のスケジュールが類似しているか否か等に基づいて、上記の施工計画の類似度合いを判定する。
【００２１】
コンピュータは、施工計画の類似度合いを判定した結果、保険を提供しようとする建設会社が過去に建設した建物の施工計画を示す情報のうち、建物を施工する計画の類似の度合いが一定程度を超えるものを特定する。この例では、第１の計画情報１Ａが特定されたとする。コンピュータは、特定された施工計画（第１の計画情報１Ａ）について、施工実績（第１の施工実績情報１Ｂ）に基づき計算された建設スコア（この例では、建設スコア１Ｃ）を特定する。コンピュータは、特定された建設スコアに基づいて、建設会社が、第２の建物２Ｓを、第２の計画情報２Ａに従って安全に施工する可能性（つまり、期待値）を示す情報を、保険スコア２Ｄとして計算する。
【００２２】
コンピュータは、例えば、特定された施工計画について計算された建設スコアを、保険スコア２Ｄとしてもよい。また、コンピュータは、当該建設スコアに対し、第１の計画情報１Ａと第２の計画情報２Ａとの類似度合いに応じて補正した値を、保険スコア２Ｄとして算出することとしてもよい。コンピュータは、例えば、第１の計画情報１Ａと第２の計画情報２Ａとの類似度合いが高いほど、建設スコア１Ｃに重み付けを施して保険スコア２Ｄを算出することとしてもよい。すなわち、建設スコア１Ｃが高いほど、建設会社が施工計画に従って安全に建物を建設する可能性が高いといえる。しかし、第１の計画情報１Ａと第２の計画情報２Ａとの類似度合いが低いほど、建設会社の過去の施工実績と、これから建設しようとする第２の建物２Ｓの施工計画（第２の計画情報２Ａ）との差異が大きくなることになる。そのため、コンピュータは、類似度合いを考慮したうえで保険スコア２Ｄを算出する。
【００２３】
＜２．構成＞
図２は、実施の形態１のシステム１の構成を示す図である。
【００２４】
図２に示すように、システム１は、端末装置１０と、サーバ２０と、センサ装置５０とを含む。サーバ２０は、ネットワーク８０を介して端末装置１０とセンサ装置５０と通信接続する。
【００２５】
＜端末装置１０＞
端末装置１０は、保険会社のユーザ、または、建設会社のユーザが操作する装置である。本実施形態では、保険会社のユーザが建設プロジェクトの保険料を決定するために、端末装置１０を操作する例を説明する。端末装置１０は、例えば据え置き型のＰＣ（Personal  Computer）、ラップトップＰＣ、移動体通信システムに対応したスマートフォン、タブレット等の携帯端末などにより実現される。図２に端末装置１０として示すように、端末装置１０は、通信ＩＦ（Interface）１２と、入出力ＩＦ１３と、メモリ１５と、ストレージ１６と、プロセッサ１９とを備える。
【００２６】
端末装置１０は、ネットワーク８０を介してサーバ２０と通信可能に接続される。端末装置１０は、ＬＴＥ（Long  Term  Evolution）などの通信規格に対応した無線基地局８１、ＩＥＥＥ（Institute  of  Electrical  and  Electronics  Engineers）８０２．１１などの無線ＬＡＮ（Local  Area  Network）規格に対応した無線ＬＡＮルータ８２等の通信機器と通信することによりネットワーク８０に接続される。ユーザは、例えば、オフィスに設置されるＰＣ、外出時に使用する携帯端末のいずれからでもサーバ２０と通信して、サーバ２０を介したデータの入出力操作を行うことができる。例えば、ユーザは、オフィス滞在時であっても、外出時であっても、端末装置１０によりサーバ２０と通信し、サーバ２０で管理される各種データを参照し、データを入力することができる。
【００２７】
通信ＩＦ１２は、端末装置１０が外部の装置と通信するため、信号を入出力するためのインタフェースである。入出力ＩＦ１３は、ユーザからの入力操作を受け付けるための入力装置（例えば、タッチパネル、タッチパッド、マウス等のポインティングデバイス、キーボード等）、および、ユーザに対し情報を提示するための出力装置（ディスプレイ、スピーカ等）とのインタフェースとして機能する。メモリ１５は、プログラム、および、プログラム等で処理されるデータ等を一時的に記憶するためのものであり、例えばＤＲＡＭ（Dynamic  Random  Access  Memory）等の揮発性のメモリである。ストレージ１６は、データを保存するための記憶装置であり、例えばフラッシュメモリ、ＨＤＤ（Hard  Disc  Drive）である。プロセッサ１９は、プログラムに記述された命令セットを実行するためのハードウェアであり、演算装置、レジスタ、周辺回路などにより構成される。
【００２８】
＜サーバ２０＞
サーバ２０は、建設現場に設置されるセンサ装置５０の出力結果を蓄積することにより、建設会社が建設現場で施工した実績を保存する。また、サーバ２０は、保険会社のユーザの端末に対し、建設会社の建設スコアと、建設会社に保険を提供するための保険スコア等を提供する。例えば、ユーザは、ブラウザアプリケーションを実行し、サーバ２０にアクセスする。サーバ２０は、ブラウザに画面を表示するための情報を端末装置１０に応答する。ユーザは、ブラウザにより表示される画面を操作することで、建設予定の建物にかかる施工計画の情報をアップロードすること、建設会社の保険スコアの要求をサーバに送信すること等ができる。
【００２９】
サーバ２０は、通信ＩＦ２２と、入出力ＩＦ２３と、メモリ２５と、ストレージ２６と、プロセッサ２９とを備える。
【００３０】
通信ＩＦ２２は、サーバ２０が外部の装置と通信するため、信号を入出力するためのインタフェースである。入出力ＩＦ２３は、ユーザからの入力操作を受け付けるための入力装置、および、ユーザに対し情報を提示するための出力装置とのインタフェースとして機能する。メモリ２５は、プログラム、および、プログラム等で処理されるデータ等を一時的に記憶するためのものであり、例えばＤＲＡＭ（Dynamic  Random  Access  Memory）等の揮発性のメモリである。ストレージ２６は、データを保存するための記憶装置であり、例えばフラッシュメモリ、ＨＤＤ（Hard  Disc  Drive）である。プロセッサ２９は、プログラムに記述された命令セットを実行するためのハードウェアであり、演算装置、レジスタ、周辺回路などにより構成される。
【００３１】
＜センサ装置５０＞
センサ装置５０は、建設現場において、施工計画に沿って施工が行われているか否かをセンシングするためのものである。具体的には、センサ装置５０は、建設現場において施工を行うための作業員の作業内容の記録、建設機械の動作内容の記録、建設現場における資材の配置の記録、建物の構造が完成する過程の記録などを行うためのものである。センサ装置５０は、図示するように、例えば建設現場に設置されるカメラ３１である。カメラ３１は、撮影画像を、サーバ２０へ送信する。また、センサ装置５０は、クレーン、ショベルカー、ブルドーザーなどの建設機械３２、建設現場で作業を行う作業員３３に取り付けられる。
【００３２】
＜端末装置１０の構成＞
図３は、実施の形態１のシステム１を構成する端末装置１０のブロック図である。図３に示すように、端末装置１０は、アンテナ１１１と、アンテナに対応する無線通信部１２１と、操作受付部１３０（タッチセンシティブデバイス１３１およびディスプレイ１３２を含む）と、音声処理部１４０と、マイク１４１と、スピーカ１４２と、位置情報センサ１５０と、バイブレータ１６０と、記憶部１８０と、制御部１９０と、を含む。端末装置１０は、図３では特に図示していない機能及び構成（例えば、電力を保持するためのバッテリ、バッテリから各回路への電力の供給を制御する電力供給回路など）も有している。図３に示すように、端末装置１０に含まれる各ブロックは、バス等により電気的に接続される。
【００３３】
アンテナ１１１は、端末装置１０が発する信号を電波として放射する。また、アンテナ１１１は、空間から電波を受信して受信信号を無線通信部１２１へ与える。
【００３４】
無線通信部１２１は、端末装置１０が他の無線機器と通信するため、アンテナ１１１を介して信号を送受信するための変復調処理などを行う。無線通信部１２１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１２１は、端末装置１０が送受信する無線信号の変復調や周波数変換を行い、受信信号を制御部１９０へ与える。なお、端末装置１０は、通信方式に対応して複数のアンテナおよび無線通信部を備えていてもよい。
【００３５】
操作受付部１３０は、ユーザの入力操作を受け付けるための機構を有する。具体的には、操作受付部１３０は、タッチスクリーンとして構成され、タッチセンシティブデバイス１３１と、ディスプレイ１３２とを含む。タッチセンシティブデバイス１３１は、端末装置１０のユーザの入力操作を受け付ける。タッチセンシティブデバイス１３１は、例えば静電容量方式のタッチパネルを用いることによって、タッチパネルに対するユーザの指などの接触位置を検出する。タッチセンシティブデバイス１３１は、タッチパネルにより検出したユーザの接触位置を示す信号を入力操作として制御部１９０へ出力する。
【００３６】
ディスプレイ１３２は、制御部１９０の制御に応じて、画像、動画、テキストなどのデータを表示する。ディスプレイ１３２は、例えばＬＣＤ（Liquid  Crystal  Display）や有機ＥＬ（Electro-Luminescence）ディスプレイによって実現される。
【００３７】
音声処理部１４０は、音声信号の変復調を行う。音声処理部１４０は、マイク１４１から与えられる信号を変調して、変調後の信号を制御部１９０へ与える。また、音声処理部１４０は、音声信号をスピーカ１４２へ与える。音声処理部１４０は、例えば音声処理用のプロセッサによって実現される。マイク１４１は、音声入力を受け付けて、当該音声入力に対応する音声信号を音声処理部１４０へ与える。スピーカ１４２は、音声処理部１４０から与えられる音声信号を音声に変換して当該音声を端末装置１０の外部へ出力する。
【００３８】
位置情報センサ１５０は、端末装置１０の位置を検出するセンサであり、例えばＧＰＳ（Global  Positioning  System）モジュールである。ＧＰＳモジュールは、衛星測位システムで用いられる受信装置である。衛星測位システムでは、少なくとも３個または４個の衛星からの信号を受信し、受信した信号に基づいて、ＧＰＳモジュールが搭載される端末装置１０の現在位置を検出する。このＧＰＳモジュールが検出する位置は、例えば、端末装置１０がセンサ装置５０の検知結果に基づいて、予め定められた報知処理を行った時の端末装置１０の位置情報をメモリに保存する際等に利用され得る。
【００３９】
バイブレータ１６０は、端末装置１０を振動させ、振動によりユーザに通知を行うための機構である。建設会社情報ＤＢ１８１は、例えばモーターの軸に重心を偏らせた重りを取り付け、モーターを回転させることで振動を発生させる。
【００４０】
記憶部１８０は、例えばフラッシュメモリ等により構成され、端末装置１０が使用するデータおよびプログラムを記憶する。ある局面において、記憶部１８０は、建設会社情報ＤＢ１８１と、建物情報ＤＢ１８２と、建設実績情報ＤＢ１８３と、作業者情報ＤＢ１８４と、作業者作業ログＤＢ１８５とを記憶する。
【００４１】
建設会社情報ＤＢ１８１は、建設会社の名称などの情報を含むデータベースである。建物情報ＤＢ１８２は、建設会社ごとに、建設会社が建設した建物の情報を含むデータベースである。建設実績情報ＤＢ１８３は、建物ごとに、施工作業の実績を示す情報を含むデータベースである。作業者情報ＤＢ１８４は、建設現場で作業を行う作業員の情報を含むデータベースである。作業者作業ログＤＢ１８５は、作業員が建設現場で行った作業のセンシングデータを含むデータベースである。これらの各データベースについては後述する。
【００４２】
制御部１９０は、記憶部１８０に記憶されるプログラムを読み込んで、プログラムに含まれる命令を実行することにより、端末装置１０の動作を制御する。制御部１９０は、例えばアプリケーションプロセッサである。制御部１９０は、プログラムに従って動作することにより、入力操作受付部１９１と、送受信部１９２と、データ処理部１９３と、表示制御部１９４としての機能を発揮する。
【００４３】
入力操作受付部１９１は、タッチセンシティブデバイス１３１等の入力装置に対するユーザの入力操作を受け付ける処理を行う。入力操作受付部１９１は、タッチセンシティブデバイス１３１に対してユーザが指などを接触させた座標の情報に基づき、ユーザの操作がフリック操作であるか、タップ操作であるか、ドラッグ（スワイプ）操作であるか等の操作の種別を判定する。
【００４４】
送受信部１９２は、端末装置１０が、サーバ２０等の外部の装置と、通信プロトコルに従ってデータを送受信するための処理を行う。
【００４５】
データ処理部１９３は、端末装置１０が入力を受け付けたデータに対し、プログラムに従って演算を行い、演算結果をメモリ等に出力する処理を行う。例えば、データ処理部１９３は、保険会社のユーザが建設会社の保険スコアを得るために、建設予定となる建物の施工計画の情報を受け付けて、保険スコアを取得する処理、保険スコアに基づき保険料を算出する処理等を行う。
【００４６】
表示制御部１９４は、表示画像をディスプレイ１３２に表示させる処理、音声をスピーカ１４２に出力させる処理、振動をバイブレータ１６０に発生させる処理を行う。
【００４７】
＜センサ装置５０の構成＞
図４は、実施の形態１のシステム１を構成するセンサ装置５０のブロック図である。
【００４８】
図４に示すように、センサ装置５０は、アンテナ５１１と、無線通信部５２１と、各種のセンサ５５０（測距センサ５５１、位置センサ５５２、音量センサ５５３、モーションセンサ５５４など）と、記憶部５８０と、制御部５９０と、を含む。図４に示すように、センサ装置５０に含まれる各ブロックは、バス等により電気的に接続される。
【００４９】
アンテナ５１１は、センサ装置５０が発する信号を電波として放射する。また、アンテナ５１１は、空間から電波を受信して受信信号を無線通信部５２１へ与える。
【００５０】
本実施形態では、センサ装置５０は、ギガヘルツ帯、あるいはサブギガヘルツ帯の周波数の無線信号により信号を送受信可能に構成されている。サブギガヘルツ帯の通信方式としては、例えば、ＬｏＲａ方式やＷｉ−ＳＵＮ方式などがある。サブギガヘルツ帯の周波数の無線信号を使用すると、無線信号の送受信において２．４ＧＨｚ帯等の無線信号よりも遮へい物などの影響を受けにくくなるため、建設現場でセンサ網を構築する際の設計の自由度がより高まる。
【００５１】
無線通信部５２１は、センサ装置５０が他の無線機器と通信するため、アンテナ５１１を介して信号を送受信するための変復調処理などを行う。無線通信部５２１は、チューナー、ＲＳＳＩ算出回路、ＣＲＣ算出回路、高周波回路などを含む通信モジュールである。無線通信部５２１は、センサ装置５０が送受信する無線信号の変復調や周波数変換を行い、受信信号を制御部５９０へ与える。
【００５２】
センサ５５０は、センサ装置５０に搭載される各種のセンサを含み、図４に示すセンサ装置以外にも様々なセンサ装置を含み得る。
【００５３】
測距センサ５５１は、センサと物体との距離を測定するためのセンサである。例えば、測距センサ５５１は、赤外線を発して受信までの時間を計測する等の光学的な手法により、物体との距離を測定する。例えば、建設現場において、作業員と、建設現場の所定の部材との距離を測定する。
【００５４】
位置センサ５５２は、ＧＰＳ等により、センサ装置５０の位置を検出する。例えば、建設現場において、作業員の位置をＧＰＳ等により測位することにより、施工計画において適切なタイミングに適切な位置に作業員がいるか否かを検知し得る。
【００５５】
音量センサ５５３は、センサが設置される環境の音量を検知するためのセンサである。音量センサ５５３は、例えば、音圧による振動を検知する等により、センサが設置される環境の音量を検知する。例えば、作業員に音量センサ５５３を取り付けることにより、作業員の周囲で、施工計画に従って工事が行われているかを、工事の際に発生する音により検知し得る。
【００５６】
モーションセンサ５５４は、センサ装置５０の動きを計測するためのセンサであり、例えば、３軸加速度センサ、３軸角速度センサ、３軸地磁気センサを含む。例えば、センサ装置５０が建設現場の作業員に取り付けられる場合に、作業員が移動する際の加速度をセンサ装置５０により検知して、作業員の移動の安全度などを検知し得る。また、作業員が組立などの作業を行う際のモーションを検出して、作業が手順通りに安全に行われているか等を検知し得る。
【００５７】
記憶部５８０は、例えばフラッシュメモリ等により構成され、センサ装置５０が使用するデータおよびプログラムを記憶する。ある局面において、記憶部５８０は、センサ出力情報５８２と、装置識別情報５８４とを記憶する。
【００５８】
センサ出力情報５８２は、センサ装置５０に搭載される各種センサ装置の検知結果のログを示す情報である。
【００５９】
装置識別情報５８４は、センサ装置５０を識別するための情報であり、例えば、センサ装置５０のＭＡＣ（Media  Access  Control）アドレスである。通信デバイス３０は、センサ装置５０を識別する情報と、センサ装置５０のセンサ出力情報５８２とを対応付けて記憶することで、複数のセンサ装置それぞれの検知結果のログをセンサ装置ごとに管理することができる。
【００６０】
制御部５９０は、記憶部５８０に記憶されるプログラムを読み込んで、プログラムに含まれる命令を実行することにより、センサ装置５０の動作を制御する。制御部５９０は、例えばプロセッサである。制御部１９０は、プログラムに従って動作することにより、センサ出力送信部５９２と、センサ出力取得部５９３としての機能を発揮する。
【００６１】
センサ出力送信部５９２は、センサ５５０の各種センサの検知結果を、通信デバイス３０等の外部の装置へ送信する処理を行う。センサ出力送信部５９２は、通信デバイス３０からの要求に応じて、センサ出力情報５８２として蓄積されるログを、逐次、読みだして通信デバイス３０へ送信する。
【００６２】
センサ出力取得部５９３は、センサ５５０の各種センサ装置の駆動を制御して、これらセンサ装置が検知する検知結果のデータを取得する。センサ出力取得部５９３は、取得した検知結果をセンサ出力情報５８２として記憶部５８０に記憶させる。
【００６３】
＜サーバ２０の機能的な構成＞
図５は、サーバ２０の機能的な構成を示す図である。図５に示すように、サーバ２０は、通信部２０１と、記憶部２０２と、制御部２０３としての機能を発揮する。
【００６４】
通信部２０１は、サーバ２０が外部の装置と通信するための処理を行う。
【００６５】
記憶部２０２は、サーバ２０が使用するデータ及びプログラムを記憶する。記憶部２０２は、建設会社情報ＤＢ１８１と、建物情報ＤＢ１８２と、建設実績情報ＤＢ１８３と、作業者情報ＤＢ１８４と、作業者作業ログＤＢ１８５とを記憶する。
【００６６】
制御部２０３は、サーバ２０のプロセッサがプログラムに従って処理を行うことにより、各種モジュールとして示す機能を発揮する。
【００６７】
操作内容取得モジュール２０４１は、サーバ２０が端末装置１０に対し、建設会社の保険スコアを提供する場合に、端末装置１０のユーザの操作内容を取得する。
【００６８】
受信制御モジュール２０４２は、サーバ２０が外部の装置から通信プロトコルに従って信号を受信する処理を制御する。
【００６９】
送信制御モジュール２０４３は、サーバ２０が外部の装置に対し通信プロトコルに従って信号を送信する処理を制御する。
【００７０】
タスク管理モジュール２０４４は、サーバ２０が実行対象とする様々なタスクの実行状況を管理する。
【００７１】
建設スコア計算モジュール２０４５は、建設会社それぞれについて、建物の施工計画の情報（建物情報ＤＢ１８２）と、建物を建設会社が施工した実績を示す情報（建設実績情報ＤＢ１８３）とを比較することにより、建設会社が施工計画に従って安全に建物を建設したことを評価する建設スコアを計算する。
【００７２】
保険スコア計算モジュール２０４６は、新たに建物を建設する建設プロジェクトについて、保険会社が建設会社に保険を提供するために参照される保険スコアを計算する。保険スコア計算モジュール２０４６は、建設プロジェクトの建物の施工計画の情報と、建設会社が過去に建設した建物の施工計画の情報との類似度合いを判定する。
【００７３】
保険スコア計算モジュール２０４６は、過去に施工された建物の施工計画のうち、建設プロジェクトの建物の施工計画と類似する度合いが高いものを特定する。保険スコア計算モジュール２０４６は、類似する度合いが高い施工計画の建設スコア（すなわち、過去に建設会社が建物を安全に建設したことを示す指標）を読みだして、類似する度合いに応じた重み付けを施して、保険スコアを計算する。例えば、建設会社が過去に建設した建物の情報には、後述するように項目「建物のカテゴリの情報」、項目「建物の構造の情報」、項目「建物を施工する施工計画の情報」など複数の項目が含まれる。建設プロジェクトにかかる建物の情報も、同様に項目「建物のカテゴリの情報」、項目「建物の構造の情報」、項目「建物を施工する施工計画の情報」などが含まれている。
【００７４】
保険スコア計算モジュール２０４６は、これら項目「建物のカテゴリ」、項目「建物の構造の情報」、項目「建物を施工する施工計画の情報」などの各項目について類似度合いを判定することとしてもよい。建設プロジェクトにかかる保険スコアを計算するにあたり、建設スコアの値を、項目ごとに重み付けをして補正をした値を保険スコアとしてもよい。例えば、項目「構造情報」が類似しているか否かを重視して、当該項目が類似している場合は建設スコアに大きな補正を施さない、すなわち、項目「構造情報」の類似の度合いが小さい場合は、他の項目の類似度が高くとも建設スコアに大きな補正を施して保険スコアを計算することなどがあり得る。
【００７５】
保険料算出モジュール２０４７は、保険スコアに基づいて、建設会社に保険を提供するための保険料を算出する。
【００７６】
＜３．データ構造＞
次に、システム１で使用するデータの構造について説明する。
【００７７】
図６は、サーバ２０において保持される建設会社情報ＤＢ１８１、建物情報ＤＢ１８２、建設実績情報ＤＢ１８３のデータ構造を示す図である。図６に示すように、建設会社情報ＤＢ１８１の各レコードは、建設会社の情報として、（ｉ）建設会社を識別する「建設会社ＩＤ」と、（ｉｉ）建設会社の名称を示す「建設会社名称」とを含んで構成されている。
【００７８】
建物情報ＤＢ１８２は、建設会社ごとに、建設会社が建設を行う建物の情報を保持している。建物情報ＤＢ１８２の各レコードは、建物の情報として、（ｉ）建物を識別する「建物ＩＤ」と、（ｉｉ）建物の名称を示す「建物名称」と、（ｉｉｉ）建物の分類を示す「カテゴリ」と、（ｉｖ）建物の構造を示す「構造情報」と、（ｖ）建物を施工する手順を示す「施工計画情報」と、（ｖｉ）建設会社が建物を施工計画に従って安全に建設したことを評価する評価値である「建設スコア」とを含んで構成されている。ここで、（ｉｖ）「構造情報」としては、ＢＩＭ（Building  Information  Modeling）データを用いることとしてもよい。ＢＩＭデータには、建物を構成する各部材（壁、柱、建具、階段、設備など）の情報（これら部材の型番、寸法の情報を含む）が含まれており、これら部材により構造設計された３次元モデルの情報が含まれる。（ｖ）「施工計画情報」は、ＢＩＭデータに含まれる各部材を組み立てる等することにより建物を完成させるための手順、施工のスケジュールの情報が含まれる。
【００７９】
建設実績情報ＤＢ１８３は、建設会社が建物を施工した実績を示す情報を保持している。建設実績情報ＤＢ１８３の各レコードは、建設会社の施工の実績として、建設現場でセンシングされたセンシングデータの情報が保持されており、（ｉ）センシングの時刻を示す「時刻」と、（ｉｉ）建設現場における位置を示す「位置」と、（ｉｉｉ）その位置でセンシングされたデータを示す「センシングデータ」とを含んで構成されている。
【００８０】
図７は、サーバ２０において保持される作業者情報ＤＢ１８４、作業者作業ログＤＢ１８５のデータ構造を示す図である。図７に示すように、作業者情報ＤＢ１８４の各レコードは、作業者の情報として、（ｉ）作業者を識別する「作業者ＩＤ」と、（ｉｉ）作業者の名称を示す「作業者名称」と、（ｉｉｉ）作業者の属性を示す「作業者属性」とを含んで構成されている。「作業者属性」に示すように、作業者の属性としては、作業者の性別を示す「性別」、作業者の年齢を示す「年齢」、作業者が建設現場での作業を経験している期間を示す「経験年数」などがある。
【００８１】
作業者作業ログＤＢ１８５の各レコードは、作業者ごとに、作業者が建設現場で作業を行ったログとして、（ｉ）個々のログを識別する「ログＩＤ」と、（ｉｉ）ログとして記録される作業者の作業が行われたタイミングを示す「日時」と、（ｉｉｉ）作業者の作業内容を示すものとして建設現場でセンシングされたセンシングデータを示す「作業者センシング情報」と、（ｉｖ）作業者が建設現場で施工計画に規定された通りに安全に作業を行ったか否かをセンシングデータに基づき評価した評価値である「行動スコア」とを含んで構成されている。（ｉｉｉ）「作業者センシング情報」は、建設現場における作業員の位置の情報である「位置情報」と、センシングデータの出力結果を示す「行動内容」とを含む。ここで、（ｉｖ）行動スコアは、例えば、作業員が行うべき作業内容（作業計画）と、センシングデータに示される作業員の実際の行動内容とを比較して、施工計画に従って作業員が作業を安全に行ったか否かを評価して計算される。例えば、作業現場において作業員が所定の位置にいたか否か、作業員が作業を行う手順が予め定められた手順を遵守しているか、等の複数の評価項目を設定したうえで、各評価項目での作業員の達成度合いに基づき行動スコアを計算することとしてもよい。
【００８２】
＜４．動作と画面例＞
図８から図１０を参照して、システム１を構成する各装置の動作を説明する。
【００８３】
図８は、建設現場において各種センサ装置５０によりセンシングされるデータをサーバ２０に蓄積する処理を示すフローチャートである。
【００８４】
ステップＳ８５１にて、建設現場に設置される各種センサ装置５０は、センサ装置５０の装置識別情報およびセンシングデータを、予め定められた周期でサーバ２０へ送信する。
【００８５】
ステップＳ８２１にて、サーバ２０は、センサ装置５０からセンシングデータ等を受信すると、建設現場における実際の施工の実績を示すものとして建設実績情報ＤＢ１８３を更新する。サーバ２０は、各センサ装置５０の装置識別情報に基づき、センシングデータに示される作業員を特定する。サーバ２０は、特定した各作業員のセンシングデータを作業者作業ログＤＢ１８５の「行動情報」等として蓄積する。
【００８６】
このようにして、サーバ２０は、建設現場でセンシングされるセンシングデータを蓄積する。サーバ２０は、予め定められたタイミングが到来すること、または、建物が完成したことを示す情報を受け付けることに応答して、ステップＳ８２３の処理を行う。
【００８７】
ステップＳ８２３にて、サーバ２０は、建設会社が施工計画に従って安全に建物を建設したことを評価する建設スコアを算出する。
【００８８】
図９は、サーバ２０が、保険会社の端末を操作するユーザのリクエストに応答して、建設会社に保険を提示するための保険スコアを計算する処理を示すフローチャートである。
【００８９】
ステップＳ９１１にて、保険会社のユーザが操作する端末装置１０は、ユーザから、保険料を提示する建設会社を特定する情報（建設会社ＩＤ）、建設予定の建物の構造情報（ＢＩＭデータ）、当該建物の施工の計画を示す情報（施工計画情報）の入力を受け付ける。
【００９０】
ステップＳ９１３にて、端末装置１０は、ステップＳ９１１で入力を受け付けた情報をサーバ２０へ送信することにより、建設会社が建設予定の建物を安全に建設する可能性を（つまり、期待値）示す情報（保険スコア）をサーバ２０へ要求する。
【００９１】
ステップＳ９２１にて、サーバ２０は、端末装置１０から受け付けた情報に応答して、建設会社ＩＤに示される建設会社の保険スコアを計算する。保険スコアの計算は、例えば上記の保険スコア計算モジュール２０４６で説明したようにしてもよい。
【００９２】
ステップＳ９２３にて、サーバ２０は、計算された保険スコアを、端末装置１０へ応答する。
【００９３】
ステップＳ９１５にて、端末装置１０は、サーバ２０で計算された保険スコアを、ディスプレイ１３２に表示する。
【００９４】
ステップＳ９１７にて、端末装置１０は、保険スコアに基づいて、建設会社に提示する保険料を計算し、計算結果をディスプレイ１３２に表示する。
【００９５】
図１０は、端末装置１０の画面の表示例を示す図である。
画面例（Ａ）は、端末装置１０のユーザから、保険を提供しようとする建設会社を特定する情報（建設会社ＩＤ）の指定を受け付ける局面を示す。画面例（Ａ）に示すように、端末装置１０は、操作受付部１３０として機能するタッチスクリーンに、建設会社タブ１３１Ａと、構造情報タブ１３１Ｂと、施工計画タブ１３１Ｃと、選択受付領域１３１Ｇと、建設会社表示領域１３１Ｋと、構造情報表示領域１３１Ｌと、施工計画情報表示領域１３１Ｍとを表示する。
【００９６】
建設会社タブ１３１Ａは、ユーザが建設会社を指定する操作を受け付けるためのＵＩ（User  Interface）部品である。構造情報タブ１３１Ｂは、建設予定の建物の構造情報をユーザがアップロードする操作を受け付けるためのＵＩ部品である。施工計画タブ１３１Ｃは、建設予定の建物の施工計画の情報をユーザがアップロードする操作を受け付けるためのＵＩ部品である。選択受付領域１３１Ｇは、ユーザの入力操作を受け付けるための領域である。建設会社表示領域１３１Ｋは、ユーザが指定した建設会社を表示する領域である。構造情報表示領域１３１Ｌは、ユーザが指定した構造情報を表示する領域である。施工計画情報表示領域１３１Ｍは、ユーザが指定した施工計画情報を表示する領域である。
【００９７】
画面例（Ａ）では、建設会社タブ１３１Ａがユーザによって指定されており、ユーザが建設会社を指定する操作を行っている局面を示している。端末装置１０は、選択受付領域１３１Ｇにおいて、ユーザが指定することができる建設会社の候補を表示している。この例では、ユーザが、建設会社の名称「建設会社ＡＡＡ」（建設会社ＩＤ「ＣＯＮＳＴ００１」）を指定している。
【００９８】
画面例（Ｂ）は、画面例（Ａ）の局面でユーザが建設会社を指定する操作を行ったことに続いて、建設予定の建物の構造情報を指定する操作を端末装置１０が受け付ける局面を示す。画面例（Ｂ）に示すように、構造情報タブ１３１Ｂがユーザによって指定されている。端末装置１０は、選択受付領域１３１Ｇにおいて、建設予定の建物の構造情報を表示して、ユーザの指定を受け付けている。この例では、ユーザが、構造情報（建物名称「Ｐモール計画」、建物ＩＤ「ＢＬＤ９０１、構造情報「ＢＩＭデータ」」を指定している。
【００９９】
画面例（Ｃ）は、画面例（Ｂ）の局面でユーザが構造情報を指定する操作を行ったことに続いて、構造情報に示される建物の施工計画の情報を指定する操作を端末装置１０が受け付ける局面を示す。画面例（Ｃ）に示すように、施工計画タブ１３１Ｃがユーザによって指定されている。端末装置１０は、選択受付領域１３１Ｇにおいて、構造情報表示領域１３１Ｌに示される建物の施工計画の指定を受け付けている。この例では、ユーザが、施工計画情報「施工計画１」を指定している。
【０１００】
以上の画面例（Ａ）〜画面例（Ｃ）は、図９のステップＳ９１１の処理に対応している。図示していないが、サーバ２０に、建設会社の情報、構造情報、施工計画情報を送信して保険スコアを要求するためのＵＩボタンを端末装置１０のタッチスクリーンに表示し、当該ＵＩボタンへのユーザの操作に応答して、図９のステップＳ９１３の処理を行うこととしてもよい。また、ユーザが、建設会社の情報の指定、構造情報の指定、施工計画情報の指定を行い、これらの情報の指定が受け付けられたことに応答して、図９のステップＳ９１３（サーバ２０への保険スコアの要求）を行うこととしてもよい。例えば、図１０の画面例（Ｃ）において、選択受付領域１３１Ｇで施工計画の情報の指定がユーザによって行われたことに応答して、端末装置１０が、サーバ２０へ保険スコアを要求することとしてもよい。
【０１０１】
画面例（Ｄ）は、図９のステップＳ９１５（サーバ２０が計算した保険スコアを表示する）、ステップＳ９１７（保険スコアに基づき計算される保険料を表示する）の処理に対応する。画面例（Ｄ）に示すように、端末装置１０は、サーバ２０で計算された保険スコアを、選択受付領域１３１Ｇに表示する。端末装置１０は、保険スコアに基づき、建設会社に提供する保険の保険料を計算し、計算結果を選択受付領域１３１Ｇに表示する。
【０１０２】
また、画面例（Ｄ）に示すように、ユーザが他の施工計画を指定することを促す表示をすることで、施工計画と保険料との比較を容易に行えるようにしている。具体的には、端末装置１０は、タッチスクリーンに、施工計画変更ボタン１３１Ｈを表示して、施工計画情報表示領域１３１Ｍに示される施工計画とは異なる施工計画をユーザが指定するよう促している。
【０１０３】
この例では、選択受付領域１３１Ｇに示される保険スコアよりも高い保険スコアとなる施工計画の情報をユーザが検索する操作を施工計画変更ボタン１３１Ｈにおいて受け付けている。施工計画変更ボタン１３１Ｈへのユーザの操作を検出すると、当該操作に応答して、サーバに対し、より保険スコアが高くなる施工計画の検索を要求する。サーバ２０は、当該要求に応答して、構造情報表示領域１３１Ｌに示される建物について、建設会社表示領域１３１Ｋに示される建設会社の保険スコアがより高くなる施工計画の情報を特定する。サーバ２０は、特定した施工計画の情報と、当該施工計画の情報により計算される保険スコアの情報とを端末装置１０へ応答する。これにより、保険会社は、施工計画と、保険スコアおよび保険料とを比較しながら、建設会社に対し、建設会社の施工の実績を加味した保険の選択肢を提供することができる。
【０１０４】
なお、以上の実施形態では、建物の建設プロジェクトにかけられる保険料を設定するために、建設会社が、建設予定の建物について施工計画に従って安全に建物を施工する期待値を適切に評価して建設スコアを計算する例を説明した。保険料の設定に限らず、例えば、建設スコアに基づいて、建設プロジェクトにかけられる保険の条件（保障金額、保険の適用条件、免責条項等）を設定することとしてもよい。
【０１０５】
また、建設スコアは建設会社の施工能力を評価したものといえるため、様々な用途に展開することができる。建設スコアは建設会社の信用を表すものともいえるため、与信の設定、建設プロジェクトの費用の見積、その他資金調達にかかる金額の設定などに用いることとしてもよい。
【０１０６】
＜変形例＞
以上のように実施形態について説明した。この他に、以下のように構成してもよい。
【０１０７】
（１）演算の主体：  例えば、上記の実施形態では、図９に示すように、端末装置１０の要求に応答してサーバ２０が保険スコアを計算することとして説明しているが、端末装置１０など他の装置において動作するプログラムが、建設会社の建設スコア、保険スコア、保険料を計算することとしてもよい。
【０１０８】
（２）入出力態様：  図１０の例では、画面例（Ｃ）に示すように、建設予定の建物について１つの施工計画をユーザが指定しているが、複数の施工計画をユーザが指定して、それぞれの施工計画について、画面例（Ｄ）において保険スコアと保険料とを表示することとしてもよい。これにより、建設会社が複数の保険の選択肢を容易に検討することができる。また、図１０の例では、建設予定の建物の施工計画をユーザが指定するものとして説明しているが、施工計画の指定をユーザがせずとも、建設予定の建物の情報がユーザによって指定されたことに応答して、当該建物について予め関連付けられた施工計画の情報に基づき保険スコア、保険料を計算し、計算された保険スコア、保険料をユーザに提示することとしてもよい。これにより、保険スコア、保険料等に基づいて、建設プロジェクトにかかる建物の施工計画を比較して、施主または建設会社等が、いずれの施工計画を採用するかの判断をすることを容易にすることができる。
【０１０９】
（３）入出力態様：  また、図１０の例において、端末装置１０が、建設予定の建物の構造情報と、施工計画の情報との指定をユーザから受け付けたことに応答して建設会社を特定し、特定された建設会社を識別する情報をユーザに提示することとしてもよい。例えば、施工主が、建設プロジェクトにかかる建物と、施工期間を考慮して決定した施工計画とに基づいて、最も安全に建物を建設するであろう建設会社を特定したい場合があり得る。例えば、端末装置１０は、建物の情報（構造情報）と、施工計画の情報とに基づいて、最も保険スコアが高くなる建設会社を特定することとしてもよい。
（４）上記の実施形態では、端末装置１０は、保険会社のユーザが操作するものとして説明しているが、建設会社のユーザが操作するものとしてもよい。
【０１１０】
＜付記＞
以上の実施形態で説明した内容を以下に付記する。
【０１１１】
（付記１）：  実施の形態で説明したプログラムは、プロセッサ（制御部２０３、プロセッサ２９）、記憶部（記憶部２０２、ストレージ２６、メモリ２５）を備えるコンピュータ（サーバ２０）を動作させるためのものである。記憶部（記憶部２０２）には、建設会社（建設会社情報ＤＢ１８１、「建設会社ＩＤ」）が過去に建物を施工した際の施工作業の実績を含む第１の情報（建物情報ＤＢ１８２、建設実績情報ＤＢ１８３）、および、建設予定の建物に関する情報であって当該建設予定の建物の施工計画を含む第２の情報（ステップＳ９１１、Ｓ９１３、Ｓ９２１）が記憶されている。プログラムは、プロセッサに、第１の情報と第２の情報とを記憶部から読み出すステップと、第１の情報と、第２の情報とに基づいて、建設会社が、建設予定の建物（「建物ＩＤ」）を、当該建物の施工計画に従って安全に施工する可能性（つまり、期待値）を示す第１の評価値（「保険スコア」）を決定するステップと、を実行させる。
【０１１２】
（付記１）の内容によると、建設会社が建設を予定している建物について、施工計画に従って安全に建物を施工する期待値を、当該建設会社の過去の施工作業の実績に基づき評価することができる。
【０１１３】
（付記２）：  （付記１）のプログラムにおいて、第１の情報は、過去に施工された建物の施工計画の情報（建物情報ＤＢ１８２、「施工計画情報」）を含む。決定するステップは、第１の情報に含まれる過去に施工された建物の施工計画の情報、および、当該建物の施工作業の実績を示す情報（建設実績情報ＤＢ１８３）に基づいて、建設会社が、施工計画に沿って当該建物を施工した度合いを示す第２の評価値（建物情報ＤＢ１８２、「建設スコア」）を算出するステップと、過去に施工された建物の施工計画の情報（建物情報ＤＢ１８２、「施工計画情報」）と、建設予定の建物の施工計画とを比較して、建設予定の建物の施工計画との類似度が一定値に達する施工計画であって過去に施工された建物の施工計画の情報（図１、第１の計画情報１Ａ）を特定するステップとを含み、特定される過去に施工された建物の施工計画の情報についての第２の評価値（建設スコア１Ｃ）に基づいて、第１の評価値（保険スコア２Ｄ）を決定する。
【０１１４】
（付記２）の内容によると、建設予定の建物の施工計画と類似する、過去に施工された建物の施工計画を特定したうえで、当該建物について施工会社が施工計画に沿って建物を施工した度合いを考慮して第１の評価値（「保険スコア」）を決定することができるため、よりいっそう適切な保険料の設定ができるようになる。また、建設会社に対し、施工計画に沿って安全に建物を施工するよう作業手順を検討する機会を提供し得る。
【０１１５】
（付記３）：  （付記２）のプログラムにおいて、決定するステップにおいて第１の評価値を決定することには、類似度と、第２の評価値とに基づいて、類似度が高いほど第２の評価値に重み付けを施して第１の評価値（保険スコア２Ｄ）を決定することが含まれる。
【０１１６】
（付記３）の内容によると、過去に建設会社が建物を施工した施工計画との類似度が高いほど、重み付けを行って第１の評価値（「保険スコア」）を決定するため、建設会社の過去の施工の実績が、保険の設定により反映されるようになる。そのため、保険会社が、よりいっそう適切な保険料を設定し得る。
【０１１７】
（付記４）：  （付記１）から（付記３）のいずれかのプログラムであって、プログラムは、プロセッサに、さらに、ユーザから、１または複数の第２の情報（選択受付領域１３１Ｇ、施工計画情報表示領域１３１Ｍ）の入力を受け付けるステップを実行させ、決定するステップは、受け付けるステップにおいて第２の情報の入力を受け付けたことに応答して、第１の評価値を決定する。
【０１１８】
（付記４）の内容によると、ユーザが施工計画の情報を指定する操作に応答して第１の評価値（「保険スコア」）が決定されるため、ユーザの操作性がいっそう向上する。
【０１１９】
（付記５）：  （付記１）から（付記４）のいずれかのプログラムであって、プログラムは、プロセッサに、さらに、第１の評価値に基づいて、建設会社に提示する保険料を算出する（Ｓ９１７、選択受付領域１３１Ｇ）ステップを実行させる。
【０１２０】
（付記５）の内容によると、第１の評価値（「保険スコア」）に基づく保険料の計算も行われるため、建設プロジェクトにおいて建設を予定する建物の施工計画をどうするかを、保険料に基づいて検討することもいっそう容易となる。
【０１２１】
（付記６）：  （付記４）のプログラムであって、受け付けるステップにおいて、それぞれ異なる施工計画の情報を含む複数の第２の情報の入力をユーザから受け付ける（選択受付領域１３１Ｇ、施工計画情報表示領域１３１Ｍ）。プログラムは、プロセッサに、さらに、複数の第２の情報のそれぞれに対し第１の評価値を決定し、決定される第１の評価値に基づいて、建設会社に提示する保険料を、施工計画の情報それぞれに対して算出するステップを実行させる。
【０１２２】
（付記６）の内容によると、複数の施工計画のそれぞれに対して第１の評価値（「保険スコア」）、保険料が算出されるため、これら施工計画を比較することもいっそう容易となる。
【０１２３】
（付記７）：  （付記１）から（付記６）のいずれかのプログラムであって、記憶部に記憶される第１の情報には、建設会社が過去に施工を行った作業現場で取得されたセンシングデータ（センサ装置５０、建設実績情報ＤＢ１８３、作業者作業ログＤＢ１８５）が含まれる。プログラムは、決定するステップにおいて、第１の情報としてセンシングデータに基づいて第１の評価値を決定する。
【０１２４】
（付記７）の内容によると、建設会社が施工を行う作業現場での実際の作業内容をセンシングデータとして取得したうえで、第１の評価値（「保険スコア」）を決定する。そのため、施工計画に従って安全に建物を施工するために、作業現場での個々の作業内容を建設会社が評価することがいっそう容易になる。
【０１２５】
（付記８）：  （付記２）のプログラムであって、記憶部に記憶される第１の情報には、センシングデータとして、作業現場で作業を行う作業員（作業員３３）に取り付けられたセンサ装置により生成されるデータ、または、作業現場に設置されるカメラにより生成されるデータの少なくともいずれかが含まれる。プログラムは、決定するステップにおいて、第１の情報として、建設会社が過去に施工を行った作業現場で作業員が行った作業手順のセンシングデータ（作業者作業ログＤＢ１８５）に基づいて第１の評価値を決定する。
【０１２６】
（付記８）の内容によると、建設会社が施工計画に従って安全に建物を施工するために、作業現場での作業員の作業内容を建設会社が評価することがいっそう容易になる。
【０１２７】
（付記９）：  （付記１）から（付記３）のいずれかのプログラムであって、記憶部に記憶される第２の情報には、建設予定の建物の情報として、当該建設予定の建物の３次元構造を示すデータ（「構造情報」（ＢＩＭデータ））と、当該３次元構造を実現するための手順を示す施工計画とが含まれる。プログラムは、決定するステップにおいて、第２の情報として、３次元構造を示すデータおよび施工計画に基づいて第１の評価値を決定する。
【０１２８】
（付記９）の内容によると、建物の構造の情報に基づき、当該構造を、どのように施工を行うかに基づいて第１の評価値を決定するため、よりいっそう、建設会社が建物の施工計画に従って安全に施工する期待値を評価することができる。
【符号の説明】
【０１２９】
１Ａ  第１の計画情報、１Ｂ  第１の施工実績情報、１Ｃ  建設スコア、１Ｓ  第１の建物、２Ａ  第２の計画情報、２Ｄ  保険スコア、２Ｓ  第２の建物、１０  端末装置、１２  通信ＩＦ、１３  入出力ＩＦ、１５  メモリ、１６  ストレージ、１９  プロセッサ、２０  サーバ、２２  通信ＩＦ、２３  入出力ＩＦ、２５  メモリ、２６  ストレージ、２９  プロセッサ、３１  カメラ、３２  建設機械、３３  作業員、５０  センサ装置、１８１  建設会社情報ＤＢ、１８２  建物情報ＤＢ、１８３  建設実績情報ＤＢ、１８４  作業者情報ＤＢ、１８５  作業者作業ログＤＢ。
【図１】
2020140266.tif 000003
【図２】
2020140266.tif 000004
【図３】
2020140266.tif 000005
【図４】
2020140266.tif 000006
【図５】
2020140266.tif 000007
【図６】
2020140266.tif 000008
【図７】
2020140266.tif 000009
【図８】
2020140266.tif 000010
【図９】
2020140266.tif 000011
【図１０】
2020140266.tif 000012